(57)【要約】【課題】情報処理装置に複数の外部デバイスが接続された状態で当該情報処理装置により表示されたテキストボックスへのテキストの入力操作が行われる場合に、プライバシーの侵害や個人情報の漏洩を抑制することを可能にする情報処理装置および情報処理方法を提供する。【解決手段】実施形態の情報処理装置は、表示制御部と、送信部と、禁止部と、を備える。表示制御部は、情報を入力可能な入力領域を含む表示画面を表示部に表示させる。送信部は、入力領域に入力された情報を外部機器に対して情報を送信する。禁止部は、入力領域への情報の表示または非表示を表す属性情報を入力領域毎に取得するとともに、送信対象の情報が入力された入力領域の属性情報が非表示を表している場合、外部機器への情報の送信を禁止する。【選択図】図２
2014007524.tif 000002
【特許請求の範囲】
【請求項１】
情報を入力可能な入力領域を含む表示画面を表示部に表示させる表示制御部と、
前記入力領域に入力された前記情報を外部機器に対して送信する送信部と、
前記入力領域への前記情報の表示または非表示を表す属性情報を前記入力領域毎に取得するとともに、送信対象の前記情報が入力された前記入力領域の前記属性情報が非表示を表している場合、前記外部機器への前記情報の送信を禁止する禁止部と、
を備えた情報処理装置。
【請求項２】
前記入力領域と前記属性情報とを対応付けて記憶する記憶部を備える請求項１に記載の情報処理装置。
【請求項３】
前記表示制御部は、前記入力領域の属性を表すタグを含む構造化文書に従って前記表示画面を前記表示部に表示させ、
前記禁止部は、前記構造化文書に含まれる前記タグに基づいて前記属性情報を取得する請求項１に記載の情報処理装置。
【請求項４】
前記表示制御部は、前記表示画面の表示内容を記述された構造化文書に従って前記表示画面を前記表示部に表示させ、
前記禁止部は、前記構造化文書に記述された前記入力領域近傍の表示内容に基づいて前記属性情報を取得する請求項１に記載の情報処理装置。
【請求項５】
前記表示制御部は、送信対象の前記情報が入力された前記入力領域の表示態様を変更し、
前記禁止部は、表示態様が変更された前記入力領域の前記属性情報を取得する請求項１から４のいずれか一に記載の情報処理装置。
【請求項６】
前記入力領域毎に、前記情報を入力した前記外部機器を識別する外部機器情報を記憶する記憶部を備え、
前記禁止部は、前記外部機器情報により識別される前記外部機器への前記情報の送信の禁止を解除する請求項１から５のいずれか一に記載の情報処理装置。
【請求項７】
情報処理装置で実行される情報処理方法であって、
前記情報処理装置は、
表示制御部が、情報を入力可能な入力領域を含む表示画面を表示部に表示させる工程と、
送信部が、前記入力領域に入力された前記情報を外部機器に対して前記情報を送信する工程と、
禁止部が、前記入力領域への前記情報の表示または非表示を表す属性情報を前記入力領域毎に取得するとともに、送信対象の前記情報が入力された前記入力領域の前記属性情報が非表示を表している場合、前記外部機器への前記情報の送信を禁止する工程と、
を含む情報処理方法。
【発明の詳細な説明】
【技術分野】
【０００１】
本発明の実施形態は、情報処理装置および情報処理方法に関する。
【背景技術】
【０００２】
デジタルテレビジョンやレコーダ等の情報処理装置とスマートフォン等の外部デバイスとを通信ネットワークを介して接続し、外部デバイスから情報処理装置を操作することが可能となっている。外部デバイスからの情報処理装置の操作は、多様化しており、チャンネルの切り替えや音量の調整や録画予約等のリモコン操作に加えて、外部デバイスで作成したテキストを入力する入力操作が可能となっている。具体的には、外部デバイスで作成したテキストの入力操作は、情報処理装置により表示されているテキストボックスにフォーカスを当てるとともに、外部デバイスで作成したテキストを情報処理装置に送信することにより行われる。さらに、外部デバイスで作成したテキストの入力操作においては、フォーカスを当てたテキストボックスに既にテキストが入力されている場合に、そのテキストを外部デバイスに送信し、外部デバイスで編集されたテキストによってテキストボックスに入力されたテキストを更新することも可能である。
【先行技術文献】
【特許文献】
【０００３】
【特許文献１】特開２０１０−２６７０３号公報
【発明の概要】
【発明が解決しようとする課題】
【０００４】
ところで、情報処理装置は、複数の外部デバイスが接続されている場合、複数の外部デバイスから並行してテキストの入力操作が可能である。しかしながら、情報処理装置に対して複数の外部デバイスが接続されている状態で外部デバイスにおいて作成したテキストの入力操作が行われた場合、一方の外部デバイスによりテキストが入力されたテキストボックスに他方の外部デバイスによる入力操作によってフォーカスを当てられると、他方の外部デバイスに対して一方の外部デバイスにより入力されたテキストが送信される。そのため、テキストボックスに入力されたテキストがパスワード等のプライバシーに関わるものである場合、テキストボックスに入力されたテキストが他方の外部デバイスに送信されてしまい、プライバシーの侵害や個人情報の漏洩につながる、という課題がある。
【０００５】
本発明は、上記に鑑みてなされたものであって、情報処理装置に複数の外部デバイスが接続された状態で当該情報処理装置により表示されたテキストボックスへのテキストの入力操作が行われる場合に、プライバシーの侵害や個人情報の漏洩を抑制することを可能にする情報処理装置および情報処理方法を提供することを目的とする。
【課題を解決するための手段】
【０００６】
実施形態の情報処理装置は、表示制御部と、送信部と、禁止部と、を備える。表示制御部は、情報を入力可能な入力領域を含む表示画面を表示部に表示させる。送信部は、入力領域に入力された情報を外部機器に対して情報を送信する。禁止部は、入力領域への情報の表示または非表示を表す属性情報を入力領域毎に取得するとともに、送信対象の情報が入力された入力領域の属性情報が非表示を表している場合、外部機器への情報の送信を禁止する。
【図面の簡単な説明】
【０００７】
【図１】図１は、第１の実施形態にかかる情報処理装置の概略構成を示す図である。
【図２】図２は、第１の実施形態にかかる情報処理装置の構成を示すブロック図である。
【図３】図３は、第１の実施形態にかかる情報処理装置において実行される処理の流れを示すフローチャートである。
【図４】図４は、第１の実施形態にかかる情報処理装置においてテキストボックスに入力された各種情報を送信する処理の流れを示すフローチャートである。
【図５】図５は、第２の実施形態にかかる情報処理装置の構成を示すブロック図である。
【図６】図６は、第３の実施形態にかかる情報処理装置の構成を示すブロック図である。
【図７】図７は、第４の実施形態にかかる情報処理装置の構成を示すブロック図である。
【発明を実施するための形態】
【０００８】
（第１の実施形態）
図１は、第１の実施形態にかかる情報処理装置の概略構成を示す図である。本実施形態にかかる情報処理装置１００は、ユーザからの操作を受け付けるＧＵＩ（Graphical  User  Interface）を有し、リモートコントローラからの基本操作（例えば、音量調整やチャンネル変更など）に加えてスマートフォンやタブレットＰＣ（Personal  Computer）等の外部デバイス２００，３００からの操作を受け付けるデジタルテレビジョンである。
【０００９】
具体的には、情報処理装置１００は、各種情報（例えば、「hoge」など）を入力可能なテキストボックス（表示領域）Ａ２を含む表示画面Ａ１を表示部Ａ（例えば、ＬＣＤ：Liquid  Crystal  Displayなど）に表示し、外部デバイス２００，３００において入力された各種情報を取得するとともに、外部デバイス２００，３００からの送信指示に応じてテキストボックスＡ２に入力された各種情報を送信する機能を備えている。
【００１０】
図２は、第１の実施形態にかかる情報処理装置の構成を示すブロック図である。本実施形態にかかる情報処理装置１００は、基本操作部１０１、表示制御部１０２、接続部１０３、外部操作部１０４、送信部１０５および判定部１０６を備えている。
【００１１】
基本操作部１０１は、情報処理装置１００の操作に用いる標準的な操作機器（例えばリモートコントローラや情報処理装置１００と一体となっている本体ボタンなど）を介して、テキストボックスＡ２に入力された各種情報の当該テキストボックスＡ２への表示、テキストボックスＡ２に入力された各種情報の送信、情報処理装置１００が有する特定のアプリケーションの起動、情報処理装置１００の状態（例えば、情報処理装置１００の電源オフまたは電源オン）の切替など、情報処理装置１００において実行される処理を指示する処理情報を取得する。そして、基本操作部１０１は、取得した処理情報を表示制御部１０２に出力する。本実施形態においては、情報処理装置１００の操作に用いる標準的な操作機器であるリモートコントローラ（図示しない）等には、取得した処理情報に従って実行された処理の処理結果は通知されないものとする。
【００１２】
接続部１０３は、有線ＬＡＮ（Local  Area  Network）、無線ＬＡＮ、Bluetooth（登録商標）、シリアル接続等により外部デバイス２００，３００と接続され、外部デバイス２００，３００と通信する。
【００１３】
外部操作部１０４は、接続部１０３を介して、外部デバイス２００，３００から処理情報を取得する。そして、外部操作部１０４は、取得した処理情報を表示制御部１０２に出力する。
【００１４】
本実施形態では、外部操作部１０４は、接続部１０３を介して有線通信または無線通信により外部デバイス２００，３００との間で所定のフォーマットで処理情報をやりとりする。例えば、外部操作部１０４は、接続部１０３を介して、情報処理装置１００で実行する処理の種別と当該情報処理装置１００で実行する処理の内容を表すテキストとを含む処理情報を取得する。次いで、外部操作部１０４は、取得した処理情報を、入力された各種情報のテキストボックスＡ２への表示を指示する信号、テキストボックスＡ２に入力された各種情報の送信を指示する信号、情報処理装置１００が有する特定のアプリケーションの起動を指示する信号、情報処理装置１００の状態の切り替えを指示する信号等の制御信号に変換する。そして、外部操作部１０４は、変換した制御信号を表示制御部１０２に出力することにより、取得した処理情報に従った処理の実行を指示する。
【００１５】
また、外部操作部１０４は、接続部１０３を介して、任意の情報を外部デバイス２００，３００に送信することができる。
【００１６】
表示制御部１０２は、基本操作部１０１または外部操作部１０４から出力された処理情報に従って、入力された各種情報のテキストボックスＡ２への表示、テキストボックスＡ２に入力された各種情報の送信、情報処理装置１００が有する特定のアプリケーションの起動、情報処理装置１００の状態の切替などの処理を実行する。例えば、表示制御部１０２は、基本操作部１０１または外部操作部１０４から出力された処理情報が、入力された各種情報のテキストボックスＡ２への表示を指示するものである場合には、入力された各種情報をテキストボックスＡ２に表示させる。
【００１７】
本実施形態では、表示制御部１０２は、テキストボックスＡ２を含む表示画面Ａ１を表示する際、各種情報を入力可能なソフトウェアキーボードなど、情報処理装置１００に対して各種情報を入力するための操作ボタン（図示しない）を含む表示画面Ａ１を表示部Ａに表示させる。
【００１８】
また、表示制御部１０２は、表示画面Ａ１に複数のテキストボックスＡ２が含まれている場合に、複数のテキストボックスＡ２のうち各種情報が入力される入力候補のテキストボックスＡ２にフォーカスを当てる。また、表示制御部１０２は、テキストボックスＡ２に既に各種情報が入力されている場合には、送信対象の情報が入力されたテキストボックスＡ２にフォーカスを当てる。
【００１９】
本実施形態では、表示制御部１０２は、入力候補のテキストボックスＡ２（または、送信対象の各種情報が入力されたテキストボックスＡ２）にフォーカスを当てているが、テキストボックスＡ２の表示態様を変更するものであれば良く、例えば、テキストボックスＡ２を点滅させたり、テキストボックスＡ２を他のテキストボックスＡ２とは異なる色で表示させたりしても良い。
【００２０】
さらに、表示制御部１０２は、テキストボックスＡ２に当てられたフォーカスに基づいて、各種情報を入力する入力候補のテキストボックスＡ２（または送信対象の各種情報が入力されたテキストボックスＡ２）を検出する。そして、表示制御部１０２は、基本操作部１０１または外部操作部１０４から出力された処理情報が、テキストボックスＡ２への各種情報の表示を指示するものである場合には、該フォーカスが当てられたテキストボックスＡ２に各種情報を表示させる。その際、表示制御部１０２は、フォーカスが当てられたテキストボックスＡ２に入力された各種情報がパスワードなどプライバシーの侵害や個人情報の漏洩につながる可能性が高い情報である場合、当該入力された各種情報を当該各種情報以外の他の情報（例えば、「●●●●●」など）に変換して表示させる。また、表示制御部１０２は、フォーカスが当てられたテキストボックスＡ２に入力された各種情報がパスワードなどプライバシーの侵害や個人情報の漏洩につながる可能性が低い情報である場合、当該入力された各種情報（例えば、「ＦＯＯＢＡＲ」など）を当該各種情報以外の他の情報に変換することなくそのまま表示する。一方、表示制御部１０２は、基本操作部１０１または外部操作部１０４から出力された処理情報が、入力された各種情報の送信を指示するものである場合には、フォーカスが当てられたテキストボックスＡ２に入力された各種情報を送信部１０５に出力する。
【００２１】
送信部１０５は、フォーカスが当てられたテキストボックスＡ２に入力された送信対象の各種情報を、接続部１０３および外部操作部１０４を介して外部デバイス２００，３００に送信する。本実施形態では、送信部１０５は、表示制御部１０２から出力された各種情報（表示画面Ａ１に含まれるテキストボックスＡ２のうちフォーカスが当たったテキストボックスＡ２に入力された各種情報）を、外部デバイス２００，３００に送信する。
【００２２】
判定部１０６は、テキストボックスＡ２への各種情報の表示または非表示を表す属性情報をテキストボックスＡ２毎に取得するとともに、送信対象の各種情報が入力されたテキストボックスＡ２の属性情報が非表示を表している場合、外部デバイス２００，３００への各種情報の送信を禁止する禁止部として機能する。
【００２３】
本実施形態では、判定部１０６は、フォーカスが当たったテキストボックスＡ２がパスワードが入力される入力領域であり入力された各種情報が例えば「●●●●●」といった当該各種情報以外の情報に変換されて表示されるものである場合には、非表示を表す属性情報を取得し、入力されたパスワードの外部デバイス２００，３００への送信を禁止する。一方、判定部１０６は、フォーカスが当たったテキストボックスＡ２に入力された各種情報（例えば「ＦＯＯＢＡＲ」）が当該各種情報以外の他の情報に変換されずに表示されている場合には、表示を表す属性情報を取得し、入力された各種情報の外部デバイス２００，３００への送信を許可する。
【００２４】
次に、図３を用いて、第１の実施形態にかかる情報処理装置において実行される処理の流れについて説明する。図３は、第１の実施形態にかかる情報処理装置において実行される処理の流れを示すフローチャートである。
【００２５】
表示制御部１０２は、基本操作部１０１または外部操作部１０４から出力された処理情報を取得する（ステップＳ３０１）。次いで、表示制御部１０２は、取得した処理情報が、情報処理装置１００の状態を電源オフへの切替を指示するものであるか否かを判断する（ステップＳ３０２）。そして、取得した処理情報が電源オフを指示するものであると判断した場合（ステップＳ３０２：Ｙｅｓ）、表示制御部１０２は、情報処理装置１００の電源をオフする。
【００２６】
一方、取得した処理情報が電源オフを指示するものではない場合（ステップＳ３０２：Ｎｏ）、表示制御部１０２は、取得した処理情報が各種情報の送信を指示するものでありかつ各種情報が入力されたテキストボックスＡ２のいずれかにフォーカスが当たっているか否かを判断する（ステップＳ３０３）。取得した処理情報が各種情報の送信を指示するものでありかつ各種情報が入力されたテキストボックスＡ２のいずれにもフォーカスが当たっているとの条件を満たさない場合（ステップＳ３０３：Ｎｏ）、すなわち、取得した処理情報が各種情報の送信を指示していないか若しくは各種情報が入力されたテキストボックスＡ２にフォーカスが当たっていない場合、表示制御部１０２は、テキストボックスＡ２への各種情報の表示や情報処理装置１００が有する特定のアプリケーションの起動など、処理情報に従った処理を実行する（ステップＳ３０４）。
【００２７】
また、取得した処理情報が各種情報の送信を指示するものでありかつ各種情報が入力されたテキストボックスＡ２のいずれかにフォーカスが当たっている場合（ステップＳ３０３：Ｙｅｓ）、送信部１０５および判定部１０６は、表示制御部１０２から出力された各種情報（フォーカスが当たっているテキストボックスＡ２に入力された各種情報）を送信する処理を実行する（ステップＳ３０５）。
【００２８】
ここで、図４を用いて、テキストボックスＡ２に入力された各種情報を送信する処理の流れについて説明する。図４は、第１の実施形態にかかる情報処理装置においてテキストボックスに入力された各種情報を送信する処理の流れを示すフローチャートである。
【００２９】
取得した処理情報が各種情報の送信を指示するものでありかつ各種情報が表示されたテキストボックスＡ２のいずれかにフォーカスが当たっている場合（ステップＳ３０３：Ｙｅｓ）、判定部１０６は、フォーカスが当たっているテキストボックスＡ２の属性情報を取得する（ステップＳ４０１）。そして、判定部１０６は、取得した属性情報が非表示を表しているか否かを判定する（ステップＳ４０２）。
【００３０】
取得した属性情報が表示を表していると判定された場合（ステップＳ４０２：Ｎｏ）、送信部１０５は、フォーカスが当たっているテキストボックスＡ２に対して入力された各種情報を、処理情報の取得先（例えば、外部デバイス２００，３００）に送信する（ステップＳ４０３）。一方、取得した属性情報が非表示を表している場合（ステップＳ４０２：Ｙｅｓ）、判定部１０６は、フォーカスが当たっているテキストボックスＡ２に対して入力された各種情報の送信を禁止する（ステップＳ４０４）。
【００３１】
このように、第１の実施形態の情報処理装置１００によれば、テキストボックスＡ２への各種情報の表示または非表示を表す属性情報をテキストボックスＡ２毎に取得するとともに、送信対象の各種情報が入力されたテキストボックスＡ２の属性情報が非表示を表している場合、当該送信対象の各種情報の外部デバイス２００，３００への送信を禁止することにより、テキストボックスＡ２に入力されたテキストがパスワード等のプライバシーに関わるものである場合、テキストボックスＡ２に入力されたテキストが外部機器に送信されないので、情報処理装置１００に複数の外部デバイス２００，３００が接続された状態で当該情報処理装置１００により表示されたテキストボックスへのテキストの入力操作が行われる場合に、プライバシーの侵害や個人情報の漏洩を抑制できる。
【００３２】
（第２の実施形態）
本実施形態は、入力領域と当該入力領域への情報の表示または非表示を表す属性情報とを対応付けて記憶し、記憶された属性情報を参照して、外部機器への情報の送信を禁止するか否かを判断する例である。なお、以下の説明では、第１の実施形態と異なる構成について説明し、第１の実施形態と同様の構成については説明を省略する。
【００３３】
図５は、第２の実施形態にかかる情報処理装置の構成を示すブロック図である。本実施形態にかかる情報処理装置５００は、基本操作部１０１、表示制御部１０２、接続部１０３、外部操作部１０４、送信部１０５、判定部５０６およびテキストボックス属性記憶部５０７を備えている。
【００３４】
テキストボックス属性記憶部５０７は、表示画面Ａ１に含まれるテキストボックスＡ２（入力領域）と、当該テキストボックスＡ２への各種情報の表示または非表示を表す属性情報とを対応付けて記憶する。テキストボックス属性記憶部５０７は、表示画面Ａ１に表示可能な全てのテキストボックスＡ２の属性情報を、表示画面Ａ１に表示可能な各テキストボックスＡ２と属性情報とを対応付けて記憶するテーブル等を用いて一括管理しても良いし、テキストボックスＡ２に付随する情報としてテキストボックスＡ２毎に属性情報を記憶しても良い。
【００３５】
判定部５０６は、テキストボックス属性記憶部５０７から、フォーカスが当たっているテキストボックスＡ２と対応付けて記憶された属性情報を取得する。そして、判定部５０６は、テキストボックス属性記憶部５０７から取得した属性情報が非表示を表している場合、テキストボックスＡ２に入力した送信対象の各種情報の外部デバイス２００，３００への送信を禁止する。
【００３６】
このように、第２の実施形態の情報処理装置５００によれば、テキストボックスＡ２と当該テキストボックスＡ２への各種情報の表示または非表示を表す属性情報とを対応付けて記憶し、記憶された属性情報を参照して、外部デバイス２００，３００への各種情報の送信を禁止するか否かを判断することにより、第１の実施形態と同様の効果を得ることができる。
【００３７】
（第３の実施形態）
本実施形態は、入力領域の属性を表すタグを含む構造化文書に従って表示画面を表示するとともに、当該構造化文書に含まれるタグに基づいて属性情報を取得する例である。なお、以下の説明では、第１の実施形態と異なる構成について説明し、第１の実施形態と同様の構成については説明を省略する。
【００３８】
図６は、第３の実施形態にかかる情報処理装置の構成を示すブロック図である。本実施形態にかかる情報処理装置６００は、基本操作部１０１、表示制御部６０２、接続部１０３、外部操作部１０４、送信部１０５、判定部６０６およびテキストボックス属性取得部６０７を備えている。
【００３９】
表示制御部６０２は、テキストボックスＡ２の属性を表すタグを含む構造化文書（例えば、ＨＴＭＬ（Hyper  Text  Markup  Language）等のマークアップ言語により記述された文書）に従って表示画面Ａ１を表示部Ａに表示させる。言い換えると、表示制御部６０２は、表示画面Ａ１の表示内容が記述された構造化文書に従って表示画面Ａ１を表示部Ａに表示させる。
【００４０】
テキストボックス属性取得部６０７は、構造化文書に記述されたテキストボックスＡ２近傍の表示内容に基づいて属性情報を取得する。本実施形態では、テキストボックス属性取得部６０７は、構造化文書に記述されたテキストボックスＡ２（フォーカスが当てられたテキストボックスＡ２）近傍の表示内容に「パスワード」等のプライバシーの侵害や個人情報の漏洩につながる可能性がある情報が記述されている場合、テキストボックスＡ２に入力された各種情報を非表示とする属性情報を取得する。
【００４１】
また、テキストボックス属性取得部６０７は、構造化文書に含まれるタグに基づいて属性情報を取得しても良い。具体的には、テキストボックス属性取得部６０７は、構造化文書に含まれるタグを解析することにより、フォーカスが当てられたテキストボックスＡ２の属性情報を取得する。例えば、テキストボックス属性取得部６０７は、構造化文書に含まれるタグが、<INPUT  size=○○    type=password  value=××  name=パスワード>であり、「type」の値が「password」である場合には、テキストボックスＡ２に入力された各種情報を非表示とする属性情報を取得する。
【００４２】
判定部６０６は、テキストボックス属性取得部６０７により取得した属性情報が非表示を表している場合、テキストボックスＡ２に入力した送信対象の各種情報の外部デバイス２００，３００への送信を禁止する。本実施形態では、テキストボックス属性取得部６０７および判定部６０６が禁止部として機能する。
【００４３】
このように、第３の実施形態にかかる情報処理装置６００によれば、テキストボックスＡ２の属性を表すタグを含む構造化文書に従って表示画面Ａ１を表示するとともに、当該構造化文書に含まれるタグに基づいて属性情報を取得することにより、第１の実施形態と同様の効果を得ることができる。
【００４４】
（第４の実施形態）
本実施形態は、入力領域毎に、当該入力領域に情報を入力した外部機器を識別する外部機器情報を記憶し、当該外部機器情報により識別される外部機器への情報の送信の禁止を解除する例である。なお、以下の説明では、第１の実施形態と異なる構成について説明し、第１の実施形態と同様の構成については説明を省略する。
【００４５】
図７は、第４の実施形態にかかる情報処理装置の構成を示すブロック図である。本実施形態にかかる情報処理装置７００は、基本操作部１０１、表示制御部７０２、接続部１０３、外部操作部１０４、送信部１０５、判定部７０６およびテキストボックス入力デバイス記憶部７０７を備えている。
【００４６】
本実施形態では、基本操作部１０１および外部操作部１０４は、外部デバイス２００，３００等によりテキストボックスＡ２に入力された各種情報を取得した際に、取得した各種情報とともに、当該各種情報の取得先の外部機器（例えば、外部デバイス２００，３００など）を識別する外部機器情報を表示制御部７０２に出力する。
【００４７】
表示制御部７０２は、基本操作部１０１および外部操作部１０４から、フォーカスが当てられたテキストボックスＡ２に入力する各種情報を受け取った際に、フォーカスが当てられたテキストボックスＡ２（つまり、各種情報が入力されたテキストボックスＡ２）と、各種情報とともに出力された外部機器情報と、を対応付けてテキストボックス入力デバイス記憶部７０７に記憶させる。
【００４８】
テキストボックス入力デバイス記憶部７０７は、テキストボックスＡ２と、当該テキストボックスＡ２に各種情報を入力した外部機器（例えば、外部デバイス２００，３００等）を識別する外部機器情報とを対応付けて記憶する。テキストボックス入力デバイス記憶部７０７は、表示画面Ａ１に表示可能な全てのテキストボックスＡ２について、各テキストボックスＡ２と外部機器情報とを対応付けて記憶するテーブル等を用いて一括管理しても良いし、テキストボックスＡ２に付随する情報としてテキストボックスＡ２毎に外部機器情報を記憶しても良い。
【００４９】
判定部７０６は、テキストボックス入力デバイス記憶部７０７に記憶された外部機器情報により識別された外部機器（例えば、外部デバイス２００）への各種情報の送信の禁止を解除する。本実施形態では、判定部７０６は、テキストボックス入力デバイス記憶部７０７から、フォーカスが当たっているテキストボックスＡ２と対応付けて記憶された外部機器情報を取得し、取得した外部機器情報により識別される外部機器が、各種情報の送信先の外部機器（例えば、外部デバイス２００）である場合に当該各種情報の送信先の外部機器への送信の禁止を解除する。
【００５０】
つまり、本実施形態では、判定部７０６は、各種情報が入力されたテキストボックスＡ２の属性情報が非表示を表している場合、各種情報を入力した外部機器以外の外部機器への送信を禁止する。よって、例えば、各種情報を入力した外部機器が外部デバイス２００である場合、判定部７０６は、外部デバイス３００への各種情報の送信を禁止するが、外部デバイス２００への各種情報の送信は許可する。ここで、外部デバイス２００に対する各種情報の送信を許可しているのは、属性情報が非表示を表し各種情報がパスワード等のプライバシーの侵害や個人情報の漏洩につながる可能性の高い情報であったとしても、各種情報を入力した外部機器が外部デバイス２００であれば、プライバシーの侵害や個人情報の漏洩につながる可能性が低いからである。
【００５１】
このように、第４の実施形態にかかる情報処理装置７００によれば、テキストボックスＡ２毎に、当該テキストボックスＡ２に各種情報を入力した外部機器を識別する外部機器情報を記憶し、当該外部機器情報により識別される外部機器への情報の送信の禁止を解除することにより、テキストボックスＡ２に入力されたテキストがパスワード等のプライバシーに関わるものであっても、テキストボックスＡ２に各種情報を入力した外部機器に対しては各種情報を送信することができる。
【００５２】
以上説明したとおり、第１から第４の実施形態によれば、情報処理装置１００，５００，６００，７００に複数の外部デバイス２００，３００が接続された状態で当該情報処理装置１００，５００，６００，７００により表示されたテキストボックスへのテキストの入力操作が行われる場合に、プライバシーの侵害や個人情報の漏洩を抑制できる。
【００５３】
なお、本実施形態では、情報処理装置１００，５００，６００，７００をデジタルテレビジョンに適用した例について説明したが、これに限定するものではなく、ＨＤＤレコーダ等にも適用することができる。
【００５４】
また、本実施形態の情報処理装置１００，５００，６００，７００で実行されるプログラムは、ＲＯＭ（Read  Only  Memory）等に予め組み込まれて提供される。本実施形態の情報処理装置１００，５００，６００，７００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５５】
さらに、本実施形態の情報処理装置１００，５００，６００，７００で実行されるプログラムを、インターネット等のネットワークに接続されたコンピュータ上に格納し、ネットワーク経由でダウンロードさせることにより提供するように構成しても良い。また、本実施形態の情報処理装置１００，５００，６００，７００で実行されるプログラムをインターネット等のネットワーク経由で提供または配布するように構成しても良い。
【００５６】
本実施形態の情報処理装置１００，５００，６００，７００で実行されるプログラムは、上述した各部（基本操作部１０１、外部操作部１０４、表示制御部１０２，６０２，７０２、送信部１０５，判定部１０６，５０６，６０６、テキストボックス属性取得部６０７など）を含むモジュール構成となっており、実際のハードウェアとしてはＣＰＵ（Central  Processing  Unit）が上記ＲＯＭからプログラムを読み出して実行することにより上記各部が主記憶装置上にロードされ、基本操作部１０１、外部操作部１０４、表示制御部１０２，６０２，７０２、送信部１０５，判定部１０６，５０６，６０６、テキストボックス属性取得部６０７などが主記憶装置上に生成されるようになっている。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１００，５００，６００，７００・・・情報処理装置、１０１・・・基本操作部、１０２，６０２，７０２・・・表示制御部、１０３・・・接続部、１０４・・・外部操作部、１０５・・・送信部、１０６，５０６，６０６・・・判定部、５０７・・・テキストボックス属性記憶部、６０７・・・テキストボックス属性取得部、７０７・・・テキストボックス入力デバイス記憶部、２００，３００・・・外部デバイス、Ａ・・・表示部、Ａ１・・・表示画面、Ａ２・・・テキストボックス。
【図１】
2014007524.tif 000003
【図２】
2014007524.tif 000004
【図３】
2014007524.tif 000005
【図４】
2014007524.tif 000006
【図５】
2014007524.tif 000007
【図６】
2014007524.tif 000008
【図７】
2014007524.tif 000009
【手続補正書】
【提出日】平成25年6月7日(2013.6.7)
【手続補正２】
【補正対象書類名】明細書
【補正対象項目名】０００１
【補正方法】変更
【補正の内容】
【０００１】
本発明の実施形態は、情報処理装置、情報処理方法およびプログラムに関する。
【手続補正３】
【補正対象書類名】明細書
【補正対象項目名】０００５
【補正方法】変更
【補正の内容】
【０００５】
本発明は、上記に鑑みてなされたものであって、情報処理装置に複数の外部デバイスが接続された状態で当該情報処理装置により表示されたテキストボックスへのテキストの入力操作が行われる場合に、プライバシーの侵害や個人情報の漏洩を抑制することを可能にする情報処理装置、情報処理方法およびプログラムを提供することを目的とする。
【手続補正４】
【補正対象書類名】明細書
【補正対象項目名】０００６
【補正方法】変更
【補正の内容】
【０００６】
実施形態の情報処理装置は、表示制御部と、送信部と、禁止部と、を備える。送信部は、表示部の表示画面に表示されかつ情報を入力可能な入力領域のうちフォーカスが当てられた第１入力領域に入力された送信対象の第１情報を外部機器に対して送信する。表示制御部は、外部機器から、第１入力領域に入力するために用いられる第２情報を取得するとともに、取得した第２情報によって、第１入力領域に入力された第１情報を更新する。禁止部は、第１入力領域へ入力される情報の表示または非表示を表す属性情報を取得するとともに、取得した属性情報が非表示を表している場合、外部機器への第１情報の送信を禁止する。
【手続補正５】
【補正対象書類名】特許請求の範囲
【補正対象項目名】全文
【補正方法】変更
【補正の内容】
【特許請求の範囲】
【請求項１】
表示部の表示画面に表示されかつ情報を入力可能な入力領域のうちフォーカスが当てられた第１入力領域に入力された送信対象の第１情報を外部機器に対して送信する送信部と、
前記外部機器から、前記第１入力領域に入力するために用いられる第２情報を取得するとともに、取得した前記第２情報によって、前記第１入力領域に入力された前記第１情報を更新する表示制御部と、
前記第１入力領域へ入力される情報の表示または非表示を表す属性情報を取得するとともに、取得した前記属性情報が非表示を表している場合、前記外部機器への前記第１情報の送信を禁止する禁止部と、
を備えた情報処理装置。
【請求項２】
前記入力領域と前記属性情報とを対応付けて記憶する記憶部を備える請求項１に記載の情報処理装置。
【請求項３】
前記表示制御部は、前記入力領域の属性を表すタグを含む構造化文書に従って前記表示画面を前記表示部に表示させ、
前記禁止部は、前記構造化文書に含まれる前記タグに基づいて前記属性情報を取得する請求項１に記載の情報処理装置。
【請求項４】
前記表示制御部は、前記表示画面の表示内容を記述された構造化文書に従って前記表示画面を前記表示部に表示させ、
前記禁止部は、前記構造化文書に記述された前記第１入力領域近傍の表示内容に基づいて前記属性情報を取得する請求項１に記載の情報処理装置。
【請求項５】
前記表示制御部は、前記第１入力領域の表示態様を変更し、
前記禁止部は、表示態様が変更された前記入力領域の前記属性情報を取得する請求項１から４のいずれか一に記載の情報処理装置。
【請求項６】
前記入力領域毎に、前記情報を入力した前記外部機器を識別する外部機器情報を記憶する記憶部を備え、
前記禁止部は、前記外部機器情報により識別される前記外部機器への前記第１情報の送信の禁止を解除する請求項１から５のいずれか一に記載の情報処理装置。
【請求項７】
情報処理装置で実行される情報処理方法であって、
前記情報処理装置は、
送信部が、表示部の表示画面に表示されかつ情報を入力可能な入力領域のうちフォーカスが当てられた第１入力領域に入力された送信対象の第１情報を外部機器に対して送信する工程と、
表示制御部が、前記外部機器から、前記第１入力領域に入力するために用いられる第２情報を取得するとともに、取得した前記第２情報によって、前記第１入力領域に入力された前記第１情報を更新する工程と、
禁止部が、前記第１入力領域へ入力される情報の表示または非表示を表す属性情報を取得するとともに、取得した前記属性情報が非表示を表している場合、前記外部機器への前記第１情報の送信を禁止する工程と、
を含む情報処理方法。
【請求項８】
前記禁止部は、前記入力領域と前記属性情報とを対応付けて記憶する記憶部から、前記フォーカスが当てられた前記入力領域と対応付けて記憶された前記属性情報を取得する請求項７に記載の情報処理方法。
【請求項９】
前記表示制御部は、前記入力領域の属性を表すタグを含む構造化文書に従って前記表示画面を前記表示部に表示させ、
前記禁止部は、前記構造化文書に含まれる前記タグに基づいて前記属性情報を取得する請求項７に記載の情報処理方法。
【請求項１０】
前記表示制御部は、前記表示画面の表示内容を記述された構造化文書に従って前記表示画面を前記表示部に表示させ、
前記禁止部は、前記構造化文書に記述された前記第１入力領域近傍の表示内容に基づいて前記属性情報を取得する請求項７に記載の情報処理方法。
【請求項１１】
前記表示制御部は、前記第１入力領域の表示態様を変更し、
前記禁止部は、表示態様が変更された前記入力領域の前記属性情報を取得する請求項７から１０のいずれか一に記載の情報処理方法。
【請求項１２】
前記禁止部は、前記情報を入力した前記外部機器を識別する外部機器情報を前記入力領域毎に記憶する記憶部から、前記フォーカスが当てられた前記入力領域の前記外部機器情報を取得し、取得した前記外部機器情報により識別される前記外部機器への前記第１情報の送信の禁止を解除する請求項７から１１のいずれか一に記載の情報処理方法。
【請求項１３】
コンピュータを、
表示部の表示画面に表示されかつ情報を入力可能な入力領域のうちフォーカスが当てられた第１入力領域に入力された送信対象の第１情報を外部機器に対して送信する送信部と、
前記外部機器から、前記第１入力領域に入力するために用いられる第２情報を取得するとともに、取得した前記第２情報によって、前記第１入力領域に入力された前記第１情報を更新する表示制御部と、
前記第１入力領域へ入力される情報の表示または非表示を表す属性情報を取得するとともに、取得した前記属性情報が非表示を表している場合、前記外部機器への前記第１情報の送信を禁止する禁止部と、
として機能させるためのプログラム。
【請求項１４】
前記禁止部は、前記入力領域と前記属性情報とを対応付けて記憶する記憶部から、前記フォーカスが当てられた前記入力領域と対応付けて記憶された前記属性情報を取得する請求項１３に記載のプログラム。
【請求項１５】
前記表示制御部は、前記入力領域の属性を表すタグを含む構造化文書に従って前記表示画面を前記表示部に表示させ、
前記禁止部は、前記構造化文書に含まれる前記タグに基づいて前記属性情報を取得する請求項１３に記載のプログラム。
【請求項１６】
前記表示制御部は、前記表示画面の表示内容を記述された構造化文書に従って前記表示画面を前記表示部に表示させ、
前記禁止部は、前記構造化文書に記述された前記第１入力領域近傍の表示内容に基づいて前記属性情報を取得する請求項１３に記載のプログラム。
【請求項１７】
前記表示制御部は、前記第１入力領域の表示態様を変更し、
前記禁止部は、表示態様が変更された前記入力領域の前記属性情報を取得する請求項１３から１６のいずれか一に記載のプログラム。
【請求項１８】
前記禁止部は、前記情報を入力した前記外部機器を識別する外部機器情報を前記入力領域毎に記憶する記憶部から、前記フォーカスが当てられた前記入力領域の前記外部機器情報を取得し、取得した前記外部機器情報により識別される前記外部機器への前記第１情報の送信の禁止を解除する請求項１３から１７のいずれか一に記載のプログラム。